(57)【要約】      （修正有）【課題】携帯や保管の容易さを実現するために装置の一体化と小型化を図るとともに、緊急時においても迅速かつ容易に使用できる水素ガス吸入器を提供する。【解決手段】ガス吸入管９を接続可能な管接続部６を有し、内部に水素ガス発生剤を貯蔵可能、かつ、内部に水素ガス発生剤と反応し水素ガスを発生させる反応液を仕切りにより分離貯蔵可能な水素ガス吸入器であって、非使用時は水素ガス発生剤と反応液が分離貯蔵されるため水素ガスの発生が行われず、使用時は仕切りを人力により破砕することで水素ガス発生剤と反応液とが混合・反応して水素ガスが発生し、管接続部６に接続されたガス吸入管９及び吸入具１０を経由して、発生した水素ガスを吸入する。【選択図】図４
0003207282.tif 000002
【実用新案登録請求の範囲】
【請求項１】
ガス吸入管を接続可能な管接続部を有し、内部に水素ガス発生剤を貯蔵可能、かつ、内部に前記水素ガス発生剤と反応し水素ガスを発生させる反応液を仕切りにより分離貯蔵可能な水素ガス吸入器であって、非使用時は前記水素ガス発生剤と前記反応液が分離貯蔵されるため水素ガスの発生が行われず、使用時は前記仕切りを人力により破砕することで前記水素ガス発生剤と前記反応液とが混合・反応して水素ガスが発生し、前記管接続部に接続された前記ガス吸入管及び吸入具を経由して、発生した水素ガスを吸入するための水素ガス吸入器。
【請求項２】
本体部に操作部を押し込み可能に嵌合させた水素ガス吸入器であって、前記本体部には前記操作部と対向して設けられ人力で破砕可能な仕切りと前記本体部とによって形成させる空洞に水素ガス発生剤（又は反応液）が貯蔵可能であり、前記操作部には反応液（又は水素ガス発生剤）を貯蔵するための空洞があり、前記操作部の前記仕切りに対向する面には前記操作部の空洞内に通じる穴が形成され、前記操作部を前記本体部内に押し込むことで前記仕切りが破砕され、前記２種の空洞に分離貯蔵された前記水素ガス発生剤と前記反応液とが混合・反応して水素ガスが発生することを特徴とする請求項１記載の水素ガス吸入器。
【請求項３】
本体部に操作部を押し込み可能に嵌合させた水素ガス吸入器であって、前記本体部には前記操作部と対向して設けられ人力で破砕可能な仕切りと前記本体部とによって形成させる空洞に水素ガス発生剤（又は反応液）が貯蔵可能であり、前記操作部には前記本体部と対向して設けられ人力で破砕可能な仕切りと前記操作部とによって形成される空洞に反応液（又は水素ガス発生剤）が貯蔵可能であり、前記操作部を前記本体部内に押し込むことで前記２種の仕切りが破砕され、前記２種の空洞に分離貯蔵された前記水素ガス発生剤と前記反応液とが混合・反応して水素ガスが発生することを特徴とする請求項１記載の水素ガス吸入器。
【請求項４】
本体内部に人力で破砕可能な貯蔵部を有する水素ガス吸入器であって、前記本体と前記貯蔵部とによって形成される空洞に水素ガス発生剤（又は反応液）が貯蔵可能であり、前記貯蔵部内には反応液（又は水素ガス発生剤）が貯蔵可能であり、前記本体内部の前記貯蔵部を人力により破砕することで、前記空洞と前記貯蔵部に分離貯蔵された前記水素ガス発生剤と前記反応剤とが混合・反応して水素ガスが発生することを特徴とする水素ガス吸入器。
【請求項５】
棒状の形状を有することを特徴とする請求項１乃至請求項４のいずれかに記載の水素ガス吸入器。
【考案の詳細な説明】
【技術分野】
【０００１】
本考案は、携帯性や保管性に優れ、使用場所も限定されず、救急救命などの緊急時においても、迅速かつ容易に使用可能な水素ガス吸入器に関するものである。
【背景技術】
【０００２】
近年、水素ガスを含有させた清涼飲料水、いわゆる水素水がコンビニエンスストアの棚に並び、専用サーバーを店頭に設置して水素水の提供を行うスーパーマーケットも現れている。更には、高濃度水素ガスを吸入しつつ、ゆったりと寛げる時空間を提供する水素サロンも増加している状況がある。
これは、水素による人体内での抗酸化作用に基づく、酸化ストレスや疲労感の低減効果など健康増進への期待とともに、我々の身近なところにおいても、水素に対する社会的な需要が高まっていることの表れである。
また、特許文献１においても言及されているように、血管障害における梗塞部の血流再開（再環流）後に発生する活性酸素の悪影響が問題とされ、その消去に水素投与が効果的であるとの研究報告もなされており、高齢化が進み、脳梗塞や心筋梗塞などに対する潜在的不安が益々増大する中で、医療そして救急救命の分野での水素ガス活用にも大きな期待が寄せられるところである。
【０００３】
そのような状況の中で、水素を含有させた水素水を製造する装置や、水素ガスを発生させる装置などについては、これまでにも提案がなされてきた。
本考案のように水素ガスを発生させるものに関しては、特許文献１のスケルトン型水素ガス生成器がある。これは、接続可能な縦長の上下２つの透明な容器の組み合わせからなる密閉された大容器内に、上部容器の開口部から水素ガス発生剤と水を入れ、容器内でこれらを反応させることで、水素ガスを生成しようとするものである。
そして、特許文献１においては、抗酸化剤としての水素ガスを安全かつ簡便に発生させ、救急車内での搬送患者に対して使用する点についても触れられている。しかし、使用時に多量の水を使用し、生成器自体も大きく、取り扱いにもそれなりの手順を要するなど、容器自体の携帯性や保管性、そして、使用時の取り扱いの容易さという点においては、依然改善すべき余地があるものと思われる。
【先行技術文献】
【特許文献】
【０００４】
【特許文献１】特許５８５７１３９号公報
【考案の概要】
【考案が解決しようとする課題】
【０００５】
本考案が解決しようとする課題は、従来の水素ガス吸入器における前記のような問題点である。
すなわち、携帯や保管の容易さを実現するために装置の一体化と小型化を図るとともに、緊急時においても迅速かつ簡単に使用できる水素ガス吸入器を実現することである。
【課題を解決するための手段】
【０００６】
本考案の水素ガス吸入器の内部には、水素ガス発生剤と、その水素ガス発生剤と化学反応を引き起こして水素ガスを発生させる反応液とを、予め分離して貯蔵することが可能である。
水素ガス吸入器の一部には、発生した水素ガスを吸入するために用いる吸入マスクや鼻孔カニューレ等の吸入具が接続される。
水素ガス吸入器の未使用時には、水素ガス吸入器内で水素ガス発生剤と反応液が分離されているため、両者は混合することなく、水素ガスは発生しない。
【０００７】
そして、水素ガス吸入器の使用時には、次のように操作される。
操作者は、水素ガス吸入器の一部に圧力を加えることで、水素ガス発生剤と反応液の仕切りが破砕される。
仕切りが破砕されたことで、水素ガス吸入器内で水素ガス発生剤と反応液が混合されて、化学反応が起こり、水素ガスが発生する。
発生した水素ガスは、水素ガス吸入器内から水素ガスの導出管を通し、吸入者が装着する吸引マスク等に送られて、体内に摂取される。
なお、この場合、水素ガス吸入器の操作者と水素ガスの吸入者が同一である場合もあるし、救急救命等の場合のように両者が異なることもある。
【考案の効果】
【０００８】
本考案に係る水素ガス吸入器は、水素ガスの発生から吸入に至るまでに必要な要素がコンパクトに一体化されていて、携帯性や保管性に優れている。
使用にあたっては、誤動作防止装置を解除し、水素ガス吸入器の一部に人力で圧力を加えるのみの操作で仕切りが破砕され、水素ガス発生剤と反応液が混合して水素ガスが発生するため、あとは吸入マスク等の吸入具を装着するだけで、迅速かつ簡単な手順で安全に水素ガスを吸入できる。そのため、水素ガス吸入器の保管時や携帯時などの未使用場面から、日常時から緊急時などの様々な使用場面に至るまで、その取り扱いは一貫して非常に容易である。
【図面の簡単な説明】
【０００９】
【図１】本考案に係る水素ガス吸入器の外観を示す斜投影図である。
【図２】本考案に係る水素ガス吸入器（本体部の空洞が大きいタイプ）の主投影図である。
【図３】本考案に係る水素ガス吸入器（操作部の空洞が大きいタイプ）の主投影図である。
【図４】本考案に係る水素ガス吸入器の使用状況（操作部の押し込み前）を示す参考図である。
【図５】本考案に係る水素ガス吸入器の使用状況（操作部の押し込み後）を示す参考図である。
【考案を実施するための形態】
【００１０】
本考案に係る水素ガス吸入器の実施の形態について図を用いて説明する。
図１がその一例の外観を示す斜視図である。
この水素ガス吸入器１は、本体部２、操作部３、誤動作防止装置４及びキャップ５とで構成されている。
そして、本体部２と操作部３とが不用意に外れないように、それぞれの向かい合う側の一部が嵌合され、かつ、操作部３は本体部２に押し込み可能で、水素ガス吸入器１の操作には支障がないように液漏れ防止のパッキン等も適宜利用して一体的に組み合わされて構成されている。
また、未使用時の誤動作防止のため、水素ガス吸入器１には誤動作防止装置４が設置される。図１の場合、この誤動作防止装置４はいわゆるストッパーであるが、操作部３に嵌合され、意図に反して操作部３が動かないように、これを固定している。
キャップ５は、使用時には取り外し可能で、水素ガス吸入器１の透視図である図２を見て分かるとおり、未使用時には、本体部２に設置される管接続部６を被覆保護しているものである。
【００１１】
図１の水素ガス吸入器１の全体形状は、円柱形のスティックタイプである。
水素ガスの発生量に応じて、その全長や太さは様々に設定可能だが、一つの大凡の目安としての全長は２０ｃｍから３０ｃｍまで、直径は４ｃｍから５ｃｍまでが標準的なものである。
また、全体形状に関しては、必ずしも図１のようなスティックタイプものに限定されない。例えば、水素ガス吸入器１が倒れないように安定性を重視するのであれば、立方体状や下部をカットした半球状のものであっても良い。その場合は側部等に窪みを設け、操作部３を横から押し込むような構造とすることも考えられる。
そして、スティックタイプの水素ガス吸入器１の安定使用のためには、使用時に開くような脚部を下部に設けたり、つり下げ用のフックを上部に設けることも考えられる。
【００１２】
本体部２と操作部３は、その内部を目視可能なように透明又は半透明の状態であることが望ましい。なぜなら、本体部２と操作部３には水素ガス発生剤と反応液が分離して貯蔵されるため、その貯蔵状態とこれらの混合状態、そして、水素ガスの発生状態が目視できることが望ましいからである。そのため、本体部２と操作部３の製造においては、強度と透明度に優れたガラスや硬質プラスチックのような素材を用いることが考えられる。
【００１３】
誤動作防止装置４は、図１の例においては、断面形状が円形である操作部３に嵌合させて、操作部３が本体部２に不用意に押し込まれて誤動作しないように固定しているものである。その形状は、中央部が操作部３の断面形状に適合するような円形に刳り抜かれ、操作部３に嵌合させる側が馬蹄形のように一部開放されている。また、本体部２の外面から突出しないように、その外周部は本体部２の外面に合わせるように滑らかな円弧状に成形されている。
そして、図１の誤動作防止装置４としてのストッパーは、使用時には取り外されるため、可撓性を有する硬質プラスチック等で製造することが容易である。この場合、本体部２、操作部３及び誤動作防止装置４の形状や組み合わせの状態により、本体部２及び操作部３の内部の目視を妨げないものであれば、図１の誤動作防止装置４としてのストッパー自体を透明又は半透明とするかどうかは任意である。
また、誤動作防止装置４は、操作部３の誤動作を防ぐものであるから、図１のように、使用時に取り外されるストッパータイプに限る必要はない。例えば、本体部２に設けられるものであっても良いし、操作部３に設けられるものであっても良い。未使用時には操作部３を操作できないように突出しているもので、使用時にはこれを押し込んで誤動作防止を解除するような装置とすることも考えられる。
【００１４】
水素ガス吸入器１の構造をより分かり易くするための透視図が図２である。
本体部２と操作部３は、容易には外れないように、向かい合う端部を嵌合させており、この例では、注射器のように操作部３を本体部２に押し込むような構造となっている。この場合、液漏れ防止のため、操作部３にパッキンを組み込むことも考えられる。
ただし、操作部３の長さについては、図２の例よりも長くして、図３のような形状にすることも考えられる。
【００１５】
本体部２は、その内部が空洞となっており、水等の反応液を内部に貯蔵させることができる。その上面と側面は、水素ガスの発生時に生じる熱や圧力によって容易に変形したり損壊しないように、耐熱性能と耐圧性能を兼ね備えたガラスや硬質プラスチック等により製造される。
一方、本体部２の仕切り７は、押し込まれる操作部３からの圧力を受けて壊れるように、注射剤を入れるアンプル等に使用されるガラスのような比較的壊れやすい素材を選択したり、随時その厚さを薄く調整するなどして製造される。
なお、この仕切り７については、本体部２と一体的に成形することも考えられるし、本体部２の内側に２つの環状の突出部を隣接して設け、別途成形した仕切り７をこの２つの突出部で挟み込むよう設置することも考えられる。
【００１６】
操作部３は、この図１の例の場合、直径がやや大きい円柱形の台座上に、これより直径がやや小さい円柱を接合して重ねたような形状である。操作部３を本体部２に押し込んだとき、過度に押し込まれすぎないように、下側の部位がストッパーの役割を果たす。
そして、図２を見て分かるとおり、操作部３の内部には空洞があり、水素ガス発生剤を貯蔵させることができる。
また、本体部２の仕切り７と向かい合う操作部３上面には、その仕切り７を破砕するための突起８が設けられる。
併せて、操作部３の突起８近傍には、空洞に通じる一又は複数の穴が開けられており、本体部２の仕切り７が破砕させることで、水素ガス発生剤が貯蔵される操作部３の空洞に、本体部２に貯蔵された水等の反応液が流入して、水素ガス発生剤と反応液とが混合可能な構造となっている。
【００１７】
なお、図２の例では、複数の鋭利な突起８が設置されるが、これは必ずしも複数でなくても良いし、鋭利なものでなくても良い。また、場合によっては、操作部３自体が仕切り７を破砕すれば良いので、この突起８は必ずしも必須のものではない。
水素ガス吸入器１の使用時には、操作者が誤動作防止装置４としてのストッパーを外し、水素ガス吸入器１の底部、すなわち操作部３の下部を地面に押し付けるなどして、これに圧力を加えるので、操作部３は、本体部２に嵌合したまま上部にスライドして、突起８が仕切り７を破砕する。
この時、破砕された仕切り７が反応液の流動を妨げるように残存したり、鋭利な突起８が仕切り７に刺さってしまい、反応液の流れを遮らないように、これを確実に押し退けるような形状であれば、必ずしも鋭利なものでなくて、先端部が丸みを帯びた形状のものであっても良い。
【００１８】
また、本体部２には、水素ガス吸入器１の内部で発生した水素ガスを外部に流出させるための通気孔が開けられ、この通気孔には管接続部６が設けられる。この時、この管接続部６には、発生した水素ガスのみを透過させ、反応液のオーバーフローを防止するための弁やフィルターを設置しても良い。
そして、水素ガス吸入器１の使用時には、図４のように、管接続部６に水素ガス吸入管９が接続され、これは更に吸入者が装着する吸入具１０へ続いている。
なお、この管接続部６と、水素ガス吸入管９の接続に関しては、両者の相対する端部にガス漏れ防止用のパッキンを組み込んだアダプターを設けて、ワンタッチ式や回転式で接続できるようにすると、水素ガス吸入器１の使用がより容易になる。しかし、単純にゴムパイプを管接続部６に嵌め込むような方式であっても構わない。
そして、水素ガス吸入器１の未使用時には、この管接続部６はキャップ５により被覆保護される。
このキャップ５の形状・材質や設置方法は、特定の仕様に限定されるものではない。
【００１９】
なお、図２の例に関する前記の説明では、本体部２に反応液を貯蔵し、操作部３に水素ガス発生剤を貯蔵することを前提として話を進めたが、図３のような水素ガス吸入器１では、これを逆にしても良い。すなわち、本体部２上部の小さな空洞に水素ガス発生剤が貯蔵され、操作部３の大きな空洞に反応液が貯蔵される。
この図３の例では、操作部３の上面が本体部２と同じく仕切り７によって形成されている。本体部２及び操作部３の仕切り７はともに壊れやすいものだから、操作部３を押し上げることで、この二つの仕切り７が互いに衝突して破砕され、水素ガス発生剤と反応液の遮断が解除され、上部に貯蔵された水素ガス発生剤が下部の反応液に落下して反応し、水素ガスが発生することになる。
そして、この図３の場合、仕切り７の形状がともに平坦な板状であるが、これをともにお互いに向けて突出させた形状として、操作部３の操作により、この二つの仕切り７がより破砕されやすいものとしても良い。
また、図２及び図３のいずれの場合においても、水素ガス吸入器１の全容量を反応液が満たしてしまうようにはせず、発生した水素ガスが水素ガス吸入器１の内側上部で、ある程度貯留可能となる空間を確保するとともに、水素ガス発生剤が反応液に確実に浸るように、反応液の液量と空洞の容量の調整を適宜行う必要がある。
【００２０】
そして、水素ガス吸入器１の具体的な使用法は次のようになる。
まず始めに、図１の水素ガス吸入器１上部のキャップ５を外す。
そして、現れた管接続部６に水素ガス吸入管９を接続する。なお、水素ガス吸入管９には水素ガスの吸入者が装着する吸入具１０が設置されている。この状態を表すものが図４である。なお、図中では水素ガス吸入管９は、その一部を省略して表示されている。
【００２１】
次に、図４の誤動作防止装置４であるストッパーを操作部３から外す。ストッパーは可撓性のある硬質プラスチック等でできており、操作部３に嵌合しているだけであるから、少し押し広げるようにして容易に外すことが可能である。
これにより誤動作防止装置４が解除され、操作部３は可動となるから、操作者は、例えば、操作部３を床面等に強く押し付けるなどして、これを本体部２に押し込む。
なお、ストッパーを外して操作部３を本体部２に押し込んだ状態が図５である。
操作部３が押し込まれたことで、操作部３上部の突起８は、本体部２の仕切り７を強く圧迫することとなる。そして、仕切り７は破砕されて、本体部２の空洞に貯蔵されていた水等の反応液は、操作部３側に流入する。
操作部３の突起８の近傍には、操作部３の空洞に続く一又は複数の穴があるから、反応液はこれを通って、操作部３の空洞に貯蔵されている水素ガス発生剤と混合されることになる。
【００２２】
ここで、水素ガス発生剤は、例えば、高純度マグネシウムを主成分とする固形成形物に化学反応を促進するための触媒等を配合したものなどが考えられる。ただし、水素ガス発生剤の組成や反応液に関しては、本考案の本質的な要素ではないから、詳細には言及しない。
【００２３】
水素ガス発生剤と反応液が混合された水素ガス吸入器１の内部では、水素ガスが発生し、本体部２の上部に貯留されながら、水素ガス吸入管９を通して、吸入者が装着する吸入具１０に水素ガスが送られる。
なお、吸入具１０は、図のような吸入マスクのほか、鼻孔カニューレなどが考えられる。吸入を行う環境によって、吸入マスクと鼻孔カニューレのいずれかを選択することが望ましい場合もあるから、これを交換可能な仕様とすれば、本考案に係る水素ガス吸入器１の利便性はより一層高まる。
また、吸入具１０により水素ガスを直接的に吸入するものとはせず、例えば、水素ガス吸入管９に接続用アダプターを繋ぎ、これを酸素吸入器に接続することで、水素ガス吸入器１により発生した水素ガスを酸素と混合させて吸引することも可能である。
【００２４】
また、図１のようなスティックタイプの水素ガス吸入器１の場合、水素ガス発生剤と反応液の反応状態を適切に保つためにも、これを横倒しにせずに、できるだけ安定した状態で使用することが望ましい。
例えば、個人的にリビング等で座って使用する場合には、これをスタンド等に立てて使用することが考えられる。
また、救急車内で救急救命時に使用するような場合は、スタンド等に立てて使用するほか、つり下げ用のフックを用いて水素ガス吸入器１の安定を保ちながら使用することが考えられる。
【００２５】
以上、図１乃至図３の構造の水素ガス吸入器１について説明をしてきたが、他にも同様のスティックタイプのものとしては、例えば、次のような構造のものが考えられる。
まず、水素ガス吸入器の構造として、本体内部に、圧力を加えることで比較的容易に破砕される貯蔵部を設置する。
この場合、本体と貯蔵部の適切な距離を保つように、両者の間に保持具を設置するか、場合によっては、水素ガス発生剤を保持具の形状に成形して、本体部と貯蔵部による二重構造の水素ガス吸入器とする。
その側面に貯蔵部を破砕するための図１のような操作部を設けるか、又は、外側の本体部に可撓性を備えたプラスチック素材を用い、本体部をねじ曲げて側面から内部の貯蔵部に力を加えたり、本体部の底部など一部をゴム状のものとし、その部位を床面に押し付けて内部の貯蔵部に力を加えるなどして、これを破砕するものである。
例えば、貯蔵部には反応液が、本体と貯蔵部の隙間には水素ガス発生剤が、それぞれ分離して貯蔵されるものとし、使用時には、この貯蔵部を破砕して、分離していた水素ガス発生剤と反応液を混合させて、水素ガスを発生させる。
これに図１と同様に、水素ガス吸入に必要とされる管接続部を設置し、水素ガス吸入管、吸入具等を接続して、発生した水素ガスの吸入を行わせるものである。
【符号の説明】
【００２６】
１  水素ガス吸入器
２  本体部
３  操作部
４  誤動作防止装置
５  キャップ
６  管接続部
７  仕切り
８  突起
９  水素ガス吸入管
１０  吸入具
【図１】
0003207282.tif 000003
【図２】
0003207282.tif 000004
【図３】
0003207282.tif 000005
【図４】
0003207282.tif 000006
【図５】
0003207282.tif 000007